【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
グリップ部材の着脱可能なグリップ装着部が形成される撮像装置であって、
前記グリップ装着部に装着された前記グリップ部材を係止する係止位置と、前記係止を解除する解除位置との間を移動するロック部材と、
一部分が前記グリップ装着部の投影面内に配置され、前記ロック部材と係合することで前記ロック部材を前記解除位置に保持する保持部材と、
前記ロック部材を前記係止位置に向けて付勢する付勢部材と、
開閉可能な蓋体と、を有し、
前記グリップ部材が前記グリップ装着部に装着されることで、前記保持部材と前記ロック部材との係合が外れ、前記ロック部材が前記解除位置から前記係止位置に移動し、
前記保持部材は、前記付勢部材の付勢力に抗して前記ロック部材を前記解除位置に保持し、
前記蓋体が閉状態となるときに、前記蓋体で覆われる部分に前記ロック部材の操作部が配置され、
前記操作部が操作されることで、前記付勢部材の付勢力に抗して前記ロック部材が前記係止位置から前記解除位置に移動し、前記保持部材が前記ロック部材を前記解除位置に保持することを特徴とする撮像装置。
【請求項２】
前記ロック部材には、前記保持部材の前記グリップ装着部の投影面内に配置される部分と前記グリップ装着部の投影面内で重なるように配置される腕部が形成され、
前記グリップ部材が正規の装着方向で前記グリップ装着部に装着されない場合には、前記グリップ部材が前記腕部に当接し、前記保持部材と前記ロック部材との係合が外れないことを特徴とする請求項１に記載の撮像装置。
【請求項３】
グリップ部材の着脱可能なグリップ装着部が形成される撮像装置であって、
前記グリップ装着部に装着された前記グリップ部材を係止する係止位置と、前記係止を解除する解除位置との間を移動するロック部材と、
一部分が前記グリップ装着部の投影面内に配置され、前記ロック部材と係合することで前記ロック部材を前記解除位置に保持する保持部材と、を有し、
前記グリップ部材が前記グリップ装着部に装着されることで、前記保持部材と前記ロック部材との係合が外れ、前記ロック部材が前記解除位置から前記係止位置に移動し、
前記ロック部材が前記係止位置から前記解除位置に移動する際に、前記保持部材の前記グリップ装着部の投影面内に配置される部分が、前記グリップ部材を前記グリップ装着部から排出する方向に押圧することを特徴とする撮像装置。
【請求項４】
請求項１から３のいずれか１項に記載の撮像装置に着脱可能なグリップ部材であって、
撮像装置に装着される際に前記保持部材の前記グリップ装着部の投影面内に配置される部分を押圧する突出部を有することを特徴とするグリップ部材。
【手続補正２】
【補正対象書類名】明細書
【補正対象項目名】０００７
【補正方法】変更
【補正の内容】
【０００７】
本発明の一側面としての撮像装置は、グリップ部材の着脱可能なグリップ装着部が形成される撮像装置であって、前記グリップ装着部に装着された前記グリップ部材を係止する係止位置と、前記係止を解除する解除位置との間を移動するロック部材と、一部分が前記グリップ装着部の投影面内に配置され、前記ロック部材と係合することで前記ロック部材を前記解除位置に保持する保持部材と、前記ロック部材を前記係止位置に向けて付勢する付勢部材と、開閉可能な蓋体と、を有し、前記グリップ部材が前記グリップ装着部に装着されることで、前記保持部材と前記ロック部材との係合が外れ、前記ロック部材が前記解除位置から前記係止位置に移動し、前記保持部材は、前記付勢部材の付勢力に抗して前記ロック部材を前記解除位置に保持し、前記蓋体が閉状態となるときに、前記蓋体で覆われる部分に前記ロック部材の操作部が配置され、前記操作部が操作されることで、前記付勢部材の付勢力に抗して前記ロック部材が前記係止位置から前記解除位置に移動し、前記保持部材が前記ロック部材を前記解除位置に保持することを特徴とする。
また、本発明の他の側面としての撮像装置は、グリップ部材の着脱可能なグリップ装着部が形成される撮像装置であって、前記グリップ装着部に装着された前記グリップ部材を係止する係止位置と、前記係止を解除する解除位置との間を移動するロック部材と、一部分が前記グリップ装着部の投影面内に配置され、前記ロック部材と係合することで前記ロック部材を前記解除位置に保持する保持部材と、を有し、前記グリップ部材が前記グリップ装着部に装着されることで、前記保持部材と前記ロック部材との係合が外れ、前記ロック部材が前記解除位置から前記係止位置に移動し、前記ロック部材が前記係止位置から前記解除位置に移動する際に、前記保持部材の前記グリップ装着部の投影面内に配置される部分が、前記グリップ部材を前記グリップ装着部から排出する方向に押圧することを特徴とする。
【手続補正３】
【補正対象書類名】明細書
【補正対象項目名】０００９
【補正方法】変更
【補正の内容】
【０００９】
【図１】本発明の実施形態に係る撮像装置本体を表す図である。
【図２】撮像装置本体にグリップとレンズを装着した状態を表す図である。
【図３】撮像装置本体の正面図である。
【図４】レンズを背面から見た斜視図である。
【図５】撮像装置本体を底面側から見た斜視図である。
【図６】撮像装置内部の構造を表した要部の斜視図である。
【図７】撮像装置内部の構造を表した要部の分解斜視図である。
【図８】グリップ装着ユニットの分解斜視図である。
【図９】グリップ装着ユニットをバッテリ収納部側から見た図である。
【図１０】グリップ装着ユニットをバッテリ収納部側から見た図である。
【図１１】グリップ装着ユニットの要部の斜視図である。
【図１２】グリップ装着ユニットを撮像装置本体の正面側から見た図である。
【図１３】小型グリップを表す図である。
【図１４】大型グリップを表す図である。
【図１５】小型グリップを撮像装置本体に装着する様子を説明する斜視図である。
【図１６】小型グリップをグリップ装着ユニットに装着する様子を説明する斜視図である。
【図１７】グリップ取り外し動作を説明する斜視図である。
【図１８】グリップ取り外し時の撮像装置本体の底面図である。
【手続補正４】
【補正対象書類名】明細書
【補正対象項目名】００１１
【補正方法】変更
【補正の内容】
【００１１】
図１は、本発明の実施形態に係る撮像装置本体と、撮像装置本体に着脱可能なレンズとグリップを表す図である。
【手続補正５】
【補正対象書類名】明細書
【補正対象項目名】００２０
【補正方法】変更
【補正の内容】
【００２０】
レンズマウント３００は、周囲に対して中央側が凸となる階段状に形成されており、中央にマウント１００に形成された孔１００２に対応する径を有する第１の円筒部３００２が設けられている。第１の円筒部３００２には、第２の円筒部３００３が設けられている。また、レンズマウント３００の周囲には、レンズロックピン１０４が係合する大きさの穴３０４が設けられている。
【手続補正６】
【補正対象書類名】明細書
【補正対象項目名】００２１
【補正方法】変更
【補正の内容】
【００２１】
レンズ爪部３００１は、第２の円筒部３００３の外周から外側に張り出すように等間隔で配置されている。隣り合うレンズ爪部３００１同士の隙間は、マウント１００に設けられた本体爪部１００１の幅よりも、わずかに広く設定されている。また、レンズマウント面からレンズ爪部３００１の裏側までの光軸方向の距離は、本体マウント面から本体爪部１００１の裏側までの距離よりも、わずかに広く設定されている。
【手続補正７】
【補正対象書類名】明細書
【補正対象項目名】００２３
【補正方法】変更
【補正の内容】
【００２３】
すなわち、マウント１００の本体爪部１００１の隙間に、レンズマウント３００のレンズ爪部３００１が挿入される位置で、マウント１００に形成された孔１００２に、第２の円筒部３００３を挿入する。その際、マウント１００とレンズマウント３００を密着させるため、レンズマウント３００がレンズロックピン１０４をマウント１００の面まで押し込む。
【手続補正８】
【補正対象書類名】明細書
【補正対象項目名】００３４
【補正方法】変更
【補正の内容】
【００３４】
図５は、撮像装置本体１０を底面側から見た斜視図である。図６は、撮像装置本体１０内部の構造を表した要部の斜視図である。図７は、撮像装置本体１０内部の構造を表した要部の分解斜視図である。
【手続補正９】
【補正対象書類名】明細書
【補正対象項目名】００３５
【補正方法】変更
【補正の内容】
【００３５】
蓋体（バッテリ蓋）７０１は、図５（ａ）の矢印方向にスライド動作後、図５（ｂ）の矢印方向に回動させることで、開状態となる。蓋体７０１が開状態となると、撮像装置本体１０への電源供給用のバッテリ７０２と、撮影画像の記録を行う記録媒体７０３が挿入可能になる。
【手続補正１０】
【補正対象書類名】明細書
【補正対象項目名】００４３
【補正方法】変更
【補正の内容】
【００４３】
コイルばね６０４には、弾性を有するコイルばね部６０４０と、コイルばね部６０４０を挟んだ両側に設けられたＵ字の第１および第２のフック形状６０４１、６０４２が形成されている。コイルばね６０４は、付勢部材として機能する。
【手続補正１１】
【補正対象書類名】明細書
【補正対象項目名】００９２
【補正方法】変更
【補正の内容】
【００９２】
１０      撮像装置本体
４０      グリップ（グリップ部材）
５０      グリップ（グリップ部材）
６０      グリップ装着ユニット
６０２    第１のロックレバー（ロック部材）
６０３    第２のロックレバー（ロック部材）
６０４ コイルばね（付勢部材）
６０５    板ばね（保持部材）
６０１０  開口（グリップ装着部）
７０１ 蓋体
【手続補正１２】
【補正対象書類名】図面
【補正対象項目名】図５
【補正方法】変更
【補正の内容】
【図５】
2015118130.tif 000001